(57)【要約】【課題】この発明のズボン着装部が形成された洋服ハンガーは，ズボン着装部の長さが，ズボンのサイズに適合した好ましい長さに調整が行われることが可能であるので，ＳサイズのズボンからＬサイズのズボンに至るズボンサイズ範囲のズボンが，美感が阻害されることなく着装されることが可能である．上衣着装部が形成された洋服ハンガーにおいては，ズボンｔの着脱を行い易くするために，巾が広い，大きなズボン着脱間隔が形成されているので，ズボン着装部にズボンの着脱を行う場合は，ズボンｔを，単に，ズボン着装部の上に乗せるだけでズボンの着脱を行うことが可能であるので，ズボンの着脱を，す速く簡単に行うことが可能である，ズボンの着脱が行い易い洋服いンガー．【解決手段】ズボン着装部に着装されるズボンｔのサイズに対応して，ズボン着装部の長さの調整を自在に行うことが可能であるズボン着装部が形成された．【選択図】  図２
2004261561.tif 000002
【特許請求の範囲】
【請求項１】
吊下部を有する洋服ハンガーの基部と，該洋服ハンガーの基部との連結部から下方に凹部を形成しつつ該洋服ハンガーの基部とズボン着装部とを連結する連成部によって連結された該ズボン着装部において，該ズボン着装部はズボン着装部の長さの調整が自在に行われることが可能であるズボン着装部．
【請求項２】
該吊下部を有する洋服ハンガーの基部は，該吊下部から両側に傾斜して形成されることにより上衣着装部を形成する請求項１記載の洋服ハンガーの基部．
【請求項３】
該ズボン着装部は，該ズボン着装部に形成されたスライド部がズボン着装部の基部をスライドすることによって，該ズボン着装部の長さの調整が行われる請求項１もしくは請求項２記載のズボン着装部．
【請求項４】
ズボン着装部は，ズボン着装部に形成されたスライド部が，ズボン着脱間隔側方向及びズボン着脱間隔側の反対側方向にスライドするスライド部を備えた請求項１ないし請求項３記載のズボン着装部．
【請求項５】
ズボン着装部は，ズボン着装部に形成されたスライド部が，唯，ズボン着脱間隔側方向にスライドするスライド部を備えた請求項１ないし請求項３記載のズボン着装部．
【請求項６】
ズボン着装部の基部は，ズボン着装部の基部に凹凸を備えた請求項３ないし請求項５記載のズボン着装部の基部．
【請求項７】
ズボン着装部の基部は，ズボン着装部の基部に摩擦材を備えた請求項３ないし請求項５記載のズボン着装部の基部．
【請求項８】
ズボン着装部のスライド部は，ズボン着装部のスライド部に凹凸を備えた請求項３ないし請求項５記載のズボン着装部のスライド部．
【請求項９】
ズボン着装部のスライド部は，ズボン着装部のスライド部に摩擦材を備えた請求項３ないし請求項５記載のズボン着装部のスライド部．
【請求項１０】
ズボン着装部は，ズボン着装部のスライド部を固定するネジを備えた請求項３ないし請求項５記載のズボン着装部．
【請求項１１】
ズボン着装部は，ズボン着装部から部分的に分離することが可能であるズボン着装部の適当な部分が，ズボン着装部の基部に対し着脱自在に形成された着脱部によって，着脱移動して固定される場所を変えることにより，ズボン着装部の長さの調整が行われる請求項１もしくは請求項２記載のズボン着装部．
【請求項１２】
ズボン着装部は，長さが異なる複数のズボン着装部が，ズボン着装部に形成された連成部との連結部において，連成部に対し着脱自在に形成された着脱部によって，着脱交換されることにより，ズボン着装部の長さの調整が行われる請求項１もしくは請求項２載のズホン着装部．
【請求項１３】
ズボン着装部は，連成部との連結部が形成される場所が，ズボン着装部においての適当な場所に形成された請求項１ないし請求項５記載のズボン着装部．
【請求項１４】
ズボン着装部は，連成部との連結部が，ズボン着装部の両端からの中間点に形成された請求項１ないし請求項５もしくは請求項１３記載のズボン着装部．
【請求項１５】
ズボン着装部は，連成部との連結部が，上衣着装部の両下端からの中間点に形成された請求項１ないし請求項３もしくは請求項１３もしくは請求項１４記載のズボン着装部．
【請求項１６】
ズボン着装部は，ズボン着装部の上面の巾が，適当に巾広く形成された請求項１ないし請求項３記載のズボン着装部．
【発明の詳細な説明】
【０００１】
【発明の属する技術分野】
この発明のズボン着装部が形成された洋服ハンガーは，吊下部を有する洋服ハンガーの基部から凹部を形成しつつ洋服ハンガーの基部とズボン着装部とを連結する連成部によって連結されたズボン着装部，すなわち，〔特許登録第１７９４２７１号〕のズボン着装部において，ズボン着装部に着装されるズボンの巾，すなわち，ズボンの中間の場所で折りたたまれた状態においてのズボンｔの巾〔以下ズボンサイズという〕において，ズボン着装部に着装されるズボンｔのズボンサイズに対応して，ズボン着装部の長さの調整が自在に行われることによって，ズボン着装部にＳサイズのズボンからＬサイズのズボンに至るズボンサイズ範囲のズボンを着装することが可能であるズボン着装部に関する．
【０００２】
【従来の技術】
既存のズボン着装部〔特許登録第１７９４２７１号〕は，ズボン着装部の長さの調整を行うことが可能でなかった．
【０００３】
【発明が解決しょうとする課題】
既存のズボン着装部は，ズボン着装部に着装されるズボンのサイズにおいて，ズボン着装部の長さに対して，着装されるズボンｔの巾が広い場合，ズボン着装部の両端縁からズボンの両端縁までのズボン面が，ズボン面の重量によって下方に下がって美感が阻害される欠点があった．
【０００４】
この欠点を解消して巾が広いＬサイズのズボンから巾が狭いＳサイズのズボンに至るズボンサイズ範囲のズボンを，美感が阻害されることなく着装することを可能とするためには，着装されるズボンｔのサイズに対応して，ズボン着装部の長さの調整を行うことが可能であるズボン着装部を形成することが必要であるという課題があった．
【０００５】
【課題を解決するための手段】
ズボン着装部の長さの調整を行うために，ズボン着装部の適当な部分が部分的にスライド部として形成されて，ズボン着装部の基部をスライドさせる，もしくは，適当な部分が部分的にズボン着装部の基部に対して着脱可能であるように形成されズボン着装部の基部を着脱移動させる，もしくは，長さが異なるズボン着装部が着脱交換される，ことによって長さの調整が自在に行われることが可能であるズボン着装部が形成されることによって，ズボン着装部に着装されるＳサイズのズボンからＬサイズのズボンに至るズボンサイズ範囲のズボンを着装することが可能であるズボン着装部としてズボン着装部が形成された．
【０００６】
【発明の実施の形態】
この発明の実施の形態を実施例にもとずき図面を参照して説明する．
図１ないし図６のように，プラスティック材質で成型された上衣着装部とズボン着装部ＹＴを連結する連成部Ｃが上衣着装部の下端部との連結部ＹＣから下方に凹部Ｙを形成しつつズボン着装部ＹＴとの連結部ｔｃに至って形成される．  ズボン着装部ＹＴの連結部ｔｃは上衣着装部の両下端部からの中間点に形成される．
連結部ｔｃから両側外方向にほぼ直方形状の基部１４ｙが形成される．連結部ｔｃから両側外方向に形成された基部１４ｙの上面と重わ合わせ形状にズボン着装部ＹＴの上面部が形成される．この上面部は，図６のように，両端部がほぼ６角形の部分的形状に形成され，この上面部が両端からの中間点で分割された形状で各スライド部４４ｙの上面４４ｔがそれぞれ形成される．
【０００７】
上面４４ｔの両側面から下方へ，基部１４ｙの側面に沿って基部１４ｙの下面に至りスライド部４４ｙの両側面及び下面４４ｄが形成され，各スライド部４４ｙがそれぞれ基部１４ｙに着装される．
スライド部４４ｙは，基部１４ｙとの各接触面，すなわち，スライド部４４ｙの上面と側面及び下面４４ｄの各内側面が，基部１４ｙとの接触面において摩擦することがないように形成され，基部１４ｙを自在にスライドすることが可能であるように形成され基部１４ｙに着装される．
【０００８】
スライド部４４ｙは，図１及び図６のように各スライド部が閉じた状態において，各スライド部がスライドする方向は．ズボン着脱間隔側のスライド部４４ｙは図２及び図３のようにズボン着脱間隔側方向にスライドし，ズボン着脱間隔側の反対側のスライド部４４ｙは，ズボン着脱間隔側の反対側方向にスライドする．
スライド部４４ｙの下面４４ｄは，両側面からの中間部にネジ形成部１４ｔを形成するための間隔を設定して各端縁部が形成される．この各端縁部に長細形状のネジ締着部７ｖがそれぞれ形成される．
ネジ締着部７ｖの相互間の間隔内の基部１４ｙの下面に，ネジ１２ｔを締着するためのネジ形成部１４ｔが形成される．ネジ１２ｔは，ネジ締着部７ｖの相互間の間隔の巾よりハンドル部１２ｄが大型であるネジが使用される．
【０００９】
ネジ１２ｔを軽く締めることによって，ネジ１２ｔのハンドル部１２ｄが，ネジ締着部７ｖを着圧し，さらに下面４４ｄを基部１４ｙの下面に着圧してスライド部４４ｙが基部１４ｙに固定される．
ズボン着装部ＹＴの長さの調整が行われる場合は，ネジ１２ｔを軽く緩めることによって，スライド部４４ｙの下面４４ｙが基部１４ｙの下面を着圧する着圧力が解除されスライド部４４ｙの固定状態が解除され，スライド部４４ｙが基部１４ｙを自在にスライドしズボン着装部ＹＴの長さの調整が行われることが可能であるように形成される．
【０００１０】
ズボン着装部ＹＴが所定の長さに調整が行われた後，ネジ１２ｔを軽るく締めることによって，ネジ１２ｔのハンドル部１２ｄがネジ締着部７ｖを着圧し，スライド部４４ｙが基部１４ｙに固定されズボン着装部ＹＴの長さが固定されるように形成される．
Ｓサイズのズボンが着装されて使用される場合は，ズボン着装部ＹＴの長さをＳサイズのズボンに適合した状態の長さに調整して使用し，Ｌサイズのズボンが着装されて使用される場合は，ズボン着装部ＹＴの長さがＬサイズのズボンに適合した状態の長さに調整されて使用される．
【０００１１】
図６のように，スライド部４４ｙの上面４４ｔの各端部に滑止ゴム部品７ｄが固着される．滑止ゴム部品７ｄに徴小凹凸が形成される．
滑止ゴム部品７ｄは，他の形状で形成されること，もしくは，スポンジ材質で形成されることも可能である．ゴム材質によって成型された成型品を使用することも可能で，例えば，角部に小型の凸部が形成されること，もしくは，周縁部に複数の凸部が形成されることも可能である．
ズボン着装部ＹＴにズボンが着装された状態において，ズボン着装部ＹＴの両端縁からズボンの両端縁までのズボン面の美感のために，スライド部４４ｙの上面４４ｔにおいての線ｙ−ｙの巾は，適当に巾が広く形成される．
【０００１２】
次に，図７及び図８の実施例のように，基部１４ｙの下面に長辺側の端縁に沿って凹凸１４ｃが形成される．スライド部４４ｙの下面４４ｄの端縁部に，半球形状のスライド固定凸部１０ｔが形成されたスプリング１０ｙｄが形成される．
スライド固定凸部１０ｔ及びスプリング１０ｙｄは，図８のように，基部１４ｙの下面に形成された凹凸１４ｃの凹部を着圧し，ズボン着装部ＹＴの長さの調整が行われる場合以外は，スライド部４４ｙがスライドすることがないようにスライド部４４ｙを基部１４ｙに固定する．
【０００１３】
ズボン着装部ＹＴの長さの調整が行われる場合においては，スプリング１０ｙｄに形成されたスライド固定解除アジアスター１０ｙを下方に押し下げることによって，スプリング１０ｙｄによる凹凸１４ｃに対する着圧力が解除されスライド部４４ｙのスライドの固定状態が解除されて，スライド部４４ｙが基部１４ｙを自在にスライドしズボン着装部ＹＴの長さの調整が行われることが可能であるように形成される．ズボン着装部ＹＴが所定の長さに調整が行われた後，スライド固定解除アジアスター１０ｙが，下方に押し下げられる状態から開放されると，スプリング１０ｙｄのスライド固定凸部１０ｔが凹凸１４ｃの凹部を着圧して，スライド部４４ｙが基部１４ｙに固定され，ズボン着装部ＹＴの長さが固定されるように形成される．
スプリング１０ｙｄに形成されるスライド固定凸部１０ｔは，ゴムなどの摩擦材質で形成することが可能であることは勿論である．
【０００１４】
次に，図９の実施例のように，基部１４ｙの下面にスプリング３２ｙが形成される．スプリング３２ｙは，端部に摩擦材３２ｔを備えており，プツシュ部３２ｃが形成される．スライド部４４ｙの下面４４ｄに，摩擦材３２ｔと摩擦を発生させるスライド固定部３２ｄが形成される．
スプリング３２ｙの摩擦材３２ｔは，スライド固定部３２ｄの外面を着圧してスライド部４４ｙを固定するように設定される．
【０００１５】
プッシユ部３２ｃが軽く押されることによってスライド部４４ｙの固定状態が解除される．プッシユ部３２ｃが開放されるとスライド部４４ｙが固定される．
スライド固定部３２ｄの摩擦面にも摩擦材を形成することも可能であるし，スプリング３２ｙの摩擦材３２ｔを形成することなく，凸部を形成し，スライド固定部３２ｄにもスプリング３２ｙの凸部と合致する凹凸を形成することも可能である．スプリング３２ｙをスライド部４４ｙ側に形成し，基部１４ｙの底部を着圧するように形成すること，もしくは，基部１４ｙの底部に摩擦材を形成することも可能である．
【０００１６】
次に，図１０の実施例のように，基部１４ｙの下面に凹凸１４ｔｃが形成される．スライド部４４ｙの下面４４ｄにも凹凸１４ｔｃの凹凸と合致する凹凸７ｔｃが形成される．凹凸７ｔｃは，スライド部４４ｙの側面及び下面４４ｄのプラスティック材質のスプリングによって，基部１４ｙの凹凸１４ｔｃと相互の凹凸が合致した状態において，スライド部４４ｙがスライドすることを固定する．スライド部４４ｙを軽く押すことによってスライドする．すなわち，スライド部４４ｙをスライドさせる場合においては，スプリングの機能によってスライド部４４ｙが固定された状態が解徐されてスライドし，スライド部４４ｙが固定される場合においては，スプリングの機能によってスライド部４４ｙが固定される機能を備えた凹凸が，設定され形成される．スライド部４４ｙの下面４４ｄに形成される凹凸７ｔｃは，下面４４ｄに部分的に形成することも可能であるし，例えば半球形状の凸部を形成することも可能である．
【０００１７】
ズボン着装部の上面もしくはスライド部は，スライドする方向がズボン着脱間隔側方向及びズボン着脱間隔側の反対側方向，すなわち，両方向にズボン着装部の基部をスライドするスライド部として形成されることが可能であるが，両方向にスライドすることなく，上面の適当な部分が固定された形状，すなわち，スライドしない形状に形成され，固定された側の他の側の適当な部分がスライドするスライド部として形成されることも可能であることは勿論である．
【０００１８】
例えば，ズボン着脱間隔側の反対側の上面４４ｔ部分が固定された形状に形成され，ズボン着脱間隔側の上面４４ｔ部分が，唯，ズボン着脱間隔側方向にズボン着装部の基部をスライドするスライド部として形成される．スライド部は長さが長いスライド部として形成されることも可能である．
【０００１９】
次の実施例においては，ズボン着装部を構成するズボン着装部の適当な部分がズボン着装部から部分的に分離することが可能であるように形成され，この分離した部分が，ズボン着装部の基部に対し着脱自在であるように形成された着脱部によって，着脱移動して固定される場所を変えることによりズボン着装部の長さの調整が行われる．
例えば，図６のようなズボン着装部ＹＴの上面部が，両端からの中間点で分割された形状の上面４４ｔの両側面から，下方に基部１４ｙの側面に密着して側面が形成され，両側面の内側面の下端縁に沿って適当な個数の凸部が形成される．基部１４ｙの両側面の下端縁にも下端縁に沿つて，この凸部と合致する凹部が形成される．  この凸部と凹部は上面４４ｔ及び側面部が，基部１４ｙに対し着脱自在に着脱可能であるように形成される．上面部４４ｔが基部１４ｙを着脱移動して，固定される場所を変えて所定の場所に固定されることによって，ズボン着装部ＹＴの長さの調整が行われる．
【０００２０】
次の実施例においては，ズボン着装部ＹＴの上面部が両端からの中間点で分割されない形状の上面部が形成されたズボン着装部ＹＴの底部において，連成部Ｃとの連結部ｔｃに，ズボン着装部ＹＴが連成部Ｃに対し着脱自在に着脱可能な着脱部が形成される．着装されるズボンのサイズに対応して，長さが異なる複数個のズボン着装部の中から，所定の長さのズボン着装部が着脱交換されることによって，長さの調整が行われる．
【０００２１】
ズボン着装部は，ズボン着装部の連成部Ｃとの連結部ｔｃが形成される連結場所は，ズボン着装部の巾においての両側面部からの中間点の場所に限ったことはなく，中間点の場所以外の適当な場所に連結することが可能であることは勿論である．例えば，ズボン着装部の底部に形成される凹凸部もしくはスプリングを形成するスペースのために側面部に近接した場所に連成部Ｃを連結して形成することも可能である．
【０００２２】
この発明のズボン着装部の構成部，すなわち，ズボン着装部ＹＴ，及び，ズボン着装部ＹＴに連結された連成部Ｃによって形成された凹部Ｙ，及び，凹部Ｙを形成した連成部Ｃによって構成されたこの発明のズボン着装部の構成部は，連成部Ｃの基部との連結側の端部によって，図１１のように，上衣着装部が形成されない，吊下部を有する吊下部形成部Ｄとの連結部ＹＣに連結されてズボン着装用の洋服ハンガーを形成することが可能である．
ズボン着装部の構成部は，複数個のズボン着装部の構成部が，吊下部を有する吊下部形成部に連結されることによって，複数のズボンを着装することが可能であるズボン着装用の洋服ハンガーとすることも可能であることは勿論である．
【０００２３】
【発明の効果】
この発明のズボン着装部が形成された洋服ハンガーは，ズボン着装部に着装されるズボンｔのサイズに対応して，Ｓサイズのズボンが着装されて使用される場合は，ズボン着装部の長さをＳサイズのズボンに適合した状態の長さに調整して使用し，Ｌサイズのズボンが着装されて使用される場合は，ズボン着装部の長さがＬサイズのズボンに適合した状態の長さに調整されて使用されることによって，ズボン着装部の長さがズボンのサイズに適合した長さに調整が行われることが可能であるので，ＳサイズのズボンからＬサイズのズボンに至るズボンサイズ範囲のズボンが，美感が阻害されることなく着装されることが可能であるズボン着装部とするこが可能である．
したがって，Ｓサイズのズボンを着装するための洋服ハンガーとして洋服ハンガーを使用する使用者，から，Ｌサイズのズボンを着装するための洋服ハンガーとして洋服ハンガーを使用する使用者，に至る使用者が使用することが可能である洋服ハンガーとすることが可能である．
【０００２４】
上衣着装部が形成された洋服ハンガーにおいては，ズボンｔの着脱を行い易くするために，上衣着装部の下端部とズボン着装部との間に，巾が広い，大きなズボン着脱間隔が形成されているので，洋服ハンガーにズボンの着脱を行う場合は，ズボンｔを，単に，ズボン着装部の上に乗せるだけでズボンの着脱を行うことが可能あるので，ズボンをピンチで挟んだり，もしくは，三角形状の洋服ハンガーの三角形の中にズボンを通したりする，面倒な着脱作業及び着脱作業のための時間を費すことを必要とすることがなく，ズボンの着脱を，す速く簡単に行うことが可能である，ズボンの着脱が行い易い洋服ハンガーとすることが可能である．
この洋服ハンガーに着装されるズボンｔは，ズボンの両端縁の折線がズボン着装部の面に接触すること，もしくは，密着することもない，したがってその結果，通常の洋服ハンガーに着装されるズボンのように，ズボン自身の重量によってズボンの両端縁の折線がズボンハンガーの上面に密着し，着圧されて折線が阻害される欠点がない．
【０００２５】
この発明のズボン着装部の構成部，すなわち，ズボン着装部，及び，ズボン着装部に連結された連成部によって形成された凹部，及び，凹部を形成した連成部，によって構成されたこの発明のズボン着装部の構成部は，連成部の基部との連結側の端部によって，吊下部形成部もしくは上衣着装部もしくは洋服ハンガー，すなわち，吊下部を有するあらゆるデザインもしくは形状によって形成された基部に連結されて，洋服ハンガーのズボン着装部を形成することが可能であるズボン着装部の構成部とすることが可能である．
【図面の簡単な説明】
【図１】この発明のズボン着装部が形成された洋服ハンガーの正面図．
【図２】この発明のズボン着装部が形成された洋服ハンガーの正面図．
【図３】実施例のスライド部によってズボン着装部を長くした状態のズボン着装部の正面図．
【図４】実施例のスライド部によってズボン着装部を長くした状態のズボン着装部の底面図．
【図５】図４のｄ−ｄ線断面図．
【図６】スライド部を閉じた状態のズボン着装部の上面図．
【図７】ズボン着装部の他の実施例の底面図．
【図８】図７の実施例のスプリング部分の断面図．
【図９】ズボン着装部の他の実施例の部分底面図．
【図１０】ズボン着装部の他の実施例のスライド部の断面図．
【図１１】この発明のズボン着装部が形成されたズボン着装用の洋服ハンガーの正面図．
【符号の説明】
Ｃ……連成部  ｔ……ズボン  ｔｃ……連結部  Ｙ……凹部  ＹＣ……連結部Ｄ……吊下部形成部  ＹＴ……ズボン着装部  線ｙ−ｙ……ズボン着装部の上面の巾  ７ｄ……ゴム部品  ７ｔｃ……スライド部の凹凸部  ７ｖ……ネジ締着部  １０ｔ……スライド部の凸部  １０ｙ……スライド固定解除アジアスター  １０ｙｄ……スプリング  １２ｄ……ネジのハンドル部  １２ｔ……ネジ  １４ｃ……ズボン着装部基部の凹凸部  １４ｔ……ネジ形成部  １４ｔｃ……ズボン着装部基部の凹凸部  １４ｙ……ズボン着装部の基部  ３２ｃ……プッシュ部  ３２ｄ……スライド固定部  ３２ｔ……摩擦材  ３２ｙ……スプリング  ４４ｄ……スライド部下面  ４４ｔ……スライド部上面  ４４ｙ……スライド部
【図１】
2004261561.tif 000003
【図２】
2004261561.tif 000004
【図３】
2004261561.tif 000005
【図４】
2004261561.tif 000006
【図５】
2004261561.tif 000007
【図６】
2004261561.tif 000008
【図７】
2004261561.tif 000009
【図８】
2004261561.tif 000010
【図９】
2004261561.tif 000011
【図１０】
2004261561.tif 000012
【図１１】
2004261561.tif 000013